(57)【要約】      （修正有）【課題】固定対象物が水平部材のみならず垂直部材にも取り付けることができる使用勝手の良好なフックを提供する。【解決手段】フックＦは、固定対象物１００に第１の挟持部材４と第２の挟持部材５により取り付けられるフックＦであって、本体と、この本体に取り付けられた係止部６と、この係止部６に着脱自在に係止される被係止部７１を有するフック本体７と、このフック本体７に接続され、被掛止物を掛止する掛止フック部７２とを備え、係止部６に着脱自在に係止される被係止部７１は、少なくとも、固定対象物１００が水平部材の場合、掛止フック部７２の先端が上方を向くように係止部６に係止される第１の状態と、固定対象物１００が垂直部材の場合、掛止フック部７２の先端が上方を向くように係止部６に係止される第２の状態とを有する。【選択図】図５
0003232291.tif 000002
【実用新案登録請求の範囲】
【請求項１】
固定対象物に第１の挟持部材と第２の挟持部材により取り付けられるフックであって、
本体と、
この本体に取り付けられた係止部と、
この係止部に着脱自在に係止される被係止部を有するフック本体と、
このフック本体に接続され、被掛止物を掛止する掛止フック部とを備え、
前記係止部に着脱自在に係止される前記被係止部は、少なくとも、前記固定対象物が水平部材の場合、前記掛止フック部の先端が上方を向くように前記係止部に係止される第1の状態と、前記固定対象物が垂直部材の場合、前記掛止フック部の先端が上方を向くように前記係止部に係止される第２の状態とを有する
ことを特徴とするフック。
【請求項２】
係止部は、係止部本体と、この係止部本体に対して側方に張り出す張り出し部を有し、
被係止部には、前記張り出し部の侵入を許容する第１の開口部と、この第１の開口部に連通すると共に、侵入した前記張り出し部の離脱を規制する第２の開口部を有し、 
侵入した前記張り出し部を前記第２の開口部の縁部に当接する位置に移動させて、侵入した前記張り出し部の離脱を規制する
ことを特徴とする請求項1記載のフック。
【請求項３】
張り出し部は、正面視、正方形である
ことを特徴とする請求項２記載のフック。
【請求項４】
固定対象物に第１の挟持部材と第２の挟持部材により取り付けられるフックであって、
本体と、
この本体に取り付けられた係止部と、
この係止部に着脱自在に係止される被係止部を有するフック本体と、
このフック本体に接続され、被掛止物を掛止する掛止フック部とを備え、
前記係止部は、係止部本体と、この係止部本体に対して側方に張り出す張り出し部を有し、
前記被係止部には、前記張り出し部の侵入を許容する開口部を有し、 
前記係止部に着脱自在に係止される前記被係止部は、少なくとも、前記固定対象物が水平部材の場合、前記フック本体が垂下し、前記掛止フック部の先端が上方を向くように前記係止部に係止される第1の状態と、前記固定対象物が垂直部材の場合、前記フック本体が垂下し、前記掛止フック部の先端が上方を向くように前記係止部に係止される第２の状態とを有する
ことを特徴とするフック。
【請求項５】
本体は、長手方向に長い長手形状部材である
ことを特徴とする請求項１又は請求項２記載のフック。
【考案の詳細な説明】
【技術分野】
【０００１】
本考案は、フックに係り、特に、固定対象物が水平部材のみならず垂直部材にも取り付けることができる使用勝手の良好なフックに関する。
【背景技術】
【０００２】
従来、鴨居に引掛けて使用するフックとして、例えば、鴨居ハンガ−フツクがある(特許文献１参照)。この鴨居ハンガ−フツクは、背面に鴨居に引掛ける部分（５）と、前面にハンガーを掛ける棒体（２）を挿入固定する管（１）とを一体としたものである。
【先行技術文献】
【特許文献】
【０００３】
【特許文献１】実開昭59-193390号公報
【考案の概要】
【考案が解決しようとする課題】
【０００４】
しかしながら、上記鴨居ハンガ−フツクにあっては、固定対象物が鴨居のような水平部材に対して使用できても、固定対象物が垂直部材の場合、使用できず、使用勝手が良好でないという問題点が生じた。
【０００５】
本考案は、上記の問題点を考慮してなされたフックを提供することにある。
【課題を解決するための手段】
【０００６】
請求項１記載のフックは、固定対象物に第１の挟持部材と第２の挟持部材により取り付けられるフックであって、本体と、この本体に取り付けられた係止部と、この係止部に着脱自在に係止される被係止部を有するフック本体と、このフック本体に接続され、被掛止物を掛止する掛止フック部とを備え、前記係止部に着脱自在に係止される前記被係止部は、少なくとも、前記固定対象物が水平部材の場合、前記掛止フック部の先端が上方を向くように前記係止部に係止される第1の状態と、前記固定対象物が垂直部材の場合、前記掛止フック部の先端が上方を向くように前記係止部に係止される第２の状態とを有するものである。
【０００７】
また、請求項２記載のフックは、請求項1記載のフックにおいて、係止部は、係止部は、係止部本体と、この係止部本体に対して側方に張り出す張り出し部を有し、被係止部には、前記張り出し部の侵入を許容する第１の開口部と、この第１の開口部に連通すると共に、侵入した前記張り出し部の離脱を規制する第２の開口部を有し、侵入した前記張り出し部を前記第２の開口部の縁部に当接する位置に移動させて、侵入した前記張り出し部の離脱を規制するものである。
【０００８】
また、請求項３記載のフックは、請求項２記載のフックにおいて、張り出し部は、正面視、正方形である。
【０００９】
また、請求項４記載のフックは、固定対象物に第１の挟持部材と第２の挟持部材により取り付けられるフックであって、本体と、この本体に取り付けられた係止部と、この係止部に着脱自在に係止される被係止部を有するフック本体と、このフック本体に接続され、被掛止物を掛止する掛止フック部とを備え、前記係止部は、係止部本体と、この係止部本体に対して側方に張り出す張り出し部を有し、前記被係止部には、前記張り出し部の侵入を許容する開口部を有し、前記係止部に着脱自在に係止される前記被係止部は、少なくとも、前記固定対象物が水平部材の場合、前記フック本体が垂下し、前記掛止フック部の先端が上方を向くように前記係止部に係止される第1の状態と、前記固定対象物が垂直部材の場合、前記フック本体が垂下し、前記掛止フック部の先端が上方を向くように前記係止部に係止される第２の状態とを有するものである。
【００１０】
また、請求項５記載のフックは、請求項１又は請求項２記載のフックにおいて、本体は、長手方向に長い長手形状部材である。
【考案の効果】
【００１１】
請求項１記載のフックによれば、被係止部は、少なくとも、固定対象物が水平部材の場合、掛止フック部の先端が上方を向くように係止部に係止される第1の状態、つまり、本体を横向きのみならず、前記固定対象物が垂直部材の場合、掛止フック部の先端が上方を向くように前記係止部に係止される第２の状態、つまり、本体を縦向きにも取り付けられ、固定対象物の状態に対応でき、使用勝手を向上させることができる。
【００１２】
また、請求項２記載のフックによれば、被係止部は、少なくとも、固定対象物が水平部材の場合、掛止フック部の先端が上方を向くように係止部に係止される第1の状態、つまり、本体を横向きのみならず、前記固定対象物が垂直部材の場合、掛止フック部の先端が上方を向くように前記係止部に係止される第２の状態、つまり、本体を縦向きにも取り付けられ、
しかも、係止部は、係止部本体と、この係止部本体に対して側方に張り出す張り出し部を有し、
被係止部には、前記張り出し部の侵入を許容する第１の開口部と、この第１の開口部に連通すると共に、侵入した前記張り出し部の離脱を規制する第２の開口部を有し、 
侵入した前記張り出し部を前記第２の開口部の縁部に当接する位置に移動させて、侵入した前記張り出し部の離脱を規制するという簡易な手段により、
使用勝手を向上させることができる。
【００１３】
また、請求項３記載のフックによれば、上述した請求項２記載の考案の効果に加え、張り出し部は、正面視、正方形であるため、簡易な手段により、掛止フック部の先端が上方を向くように係止部に係止される第1の状態と、掛止フック部の先端が上方を向くように前記係止部に係止される第２の状態に容易に対応でき、使用勝手を向上させることができる。
【００１４】
また、請求項４記載のフックによれば、フック本体は係止部にフリーに係止されているため、固定対象物が水平部材の場合のみならず、前記固定対象物が垂直部材の場合も、フック本体を取り外すことなく、 掛止フック部の先端が上方を向くように位置させて使用することができ、使用勝手を向上させることができる。
【００１５】
また、請求項５記載のフックによれば、上述した請求項１又は請求項２記載の考案の効果に加え、長手方向に長い長手形状部材である本体を垂直部材、垂直部材の固定対象物に対して、第１の挟持部材と第２の挟持部材により強固に安定して挟持して取り付けることができる。
【図面の簡単な説明】
【００１６】
【図１】図１は、本考案の一実施例のフックの概略的正面図である。
【図２】図２は、図１のＡ−Ａ線による概略的断面図である。
【図３】図３は、図１の掛止フック部の概略的斜視図である。
【図４】図４は、図１の本体の概略的斜視図である。
【図５】図５は、固定対象物が水平部材の場合、図１のフックの掛止フック部の先端が上方を向くように係止部に係止される第1の状態を示す概略的斜視図である。
【図６】図６は、固定対象物が垂直部材の場合、図５の掛止フック部の先端が上方を向くように係止部に係止される第２の状態を示す概略的斜視図である。
【図７】図７は、図２の摘み部を有する雄ネジ体の概略的斜視図である。
【図８】図８は、図２の第２の挟持部材の概略的斜視図である。
【図９】図９は、第２の挟持部材の概略的断面図である。
【図１０】図１０は、図５の概略的断面図である。
【図１１】図１１は、図６の概略的断面図である。
【図１２】図１２は、図１のフックと異なる他の実施例のフックを分解して示す概略的分解斜視図である。
【図１３】図１３は、固定対象物が水平部材の場合、図１２のフックの掛止フック部の先端が上方を向くように係止部に係止される第１の状態状態を示す概略的斜視図である。
【図１４】図１４は、固定対象物が垂直部材の場合、図１２の掛止フック部の先端が上方を向くように係止部に係止される第２の状態を示す概略的斜視図である。
【図１５】図１５は、図１２のフックと異なる他の実施例のフックを分解して示す概略的分解斜視図である。
【図１６】図１６は、固定対象物が水平部材の場合、図１５のフックの掛止フック部の先端が上方を向くように係止部に係止される第１の状態状態を示す概略的斜視図である。
【図１７】図１７は、固定対象物が垂直部材の場合、図１５の掛止フック部の先端が上方を向くように係止部に係止される第２の状態を示す概略的斜視図である。
【考案を実施するための形態】
【００１７】
本考案の一実施例のフックを図１乃至図１７を参照して説明する。
図1に示すＦは、鴨居等の固定対象物１００に第１の挟持部材４と第２の挟持部材５により取り付けられるフックで、フックＦは、例えば、合成樹脂で形成され、本体１と、この本体１に取付けられた雄ネジ体２と、この雄ネジ体２に設けられた摘み部３と、雄ネジ体２に螺合する雌ネジ体Ｎと、本体１に取り付けられた第１の挟持部材４と、この第１の挟持部材４に対向すると共に、雄ネジ体２に取り付けられた第２の挟持部材５と、本体１に取り付けられた係止部６と、この係止部６に着脱自在に係止される被係止部７１を有するフック本体７と、このフック本体７に接続され、被掛止物を掛止する掛止フック部７２とを備えている。
【００１８】
なお、本体１は、例えば、長手方向に長い長手形状部材である。長手方向に長い長手形状部材である本体１を水平部材Ｈ（図５参照）、垂直部材Ｖ（図６参照）の固定対象物１００に対して、第１の挟持部材４と第２の挟持部材５により強固に安定して挟持して取り付けることができる。図７に示す雄ネジ体２の軸の外表面に設けた雄ネジは、省略されて図示されている。８１、８２は、滑り止め部材である。
【００１９】
係止部６は、図４に示すように、係止部本体６１と、この係止部本体６１に対して側方に張り出す張り出し部６２を有し、被係止部７１には、図３に示すように、張り出し部６２の侵入を許容する第１の開口部７１Ａと、この第１の開口部７１Ａに連通すると共に、侵入した張り出し部６２の離脱を規制する「第１の開口部７１Ａの開口部より小さい開口部である第２の開口部７１Ｂ」を有し、そして、侵入した張り出し部６２を第２の開口部７１Ｂの縁部に当接する位置に移動させて、侵入した張り出し部６２の離脱を規制するようにしている。張り出し部６２は、例えば、正面視、正方形である。
このような簡易な手段により、侵入した張り出し部６２の離脱を規制することができる。
【００２０】
そして、第１の挟持部材４と第２の挟持部材５により固定対象物１００に挟持して取り付けられ、係止部６に着脱自在に係止される被係止部７１は、少なくとも、固定対象物１００が水平部材Ｈ（例えば、鴨居）の場合、掛止フック部７２の先端が上方を向くように係止部６に係止される第1の状態（図５参照）と、固定対象物１００が垂直部材Ｖ（例えば、柱）の場合、図５のフック本体７を本体１から取り外し、フック本体７の角度を９０°差し替えて、掛止フック部７２の先端が上方を向くように係止部６に係止される第２の状態とを有する（図６参照）。つまり、フック本体７を縦向きにも横向きにも対応することができる。
【００２１】
上述した実施例のフックＦによれば、被係止部７１は、少なくとも、固定対象物１００が水平部材Ｈの場合、掛止フック部７２の先端が上方を向くように係止部６に係止される第1の状態（図５参照）、つまり、本体１を横向きのみならず、固定対象物１００が垂直部材Ｖの場合、掛止フック部７２の先端が上方を向くように係止部６に係止される第２の状態（図６参照）、つまり、本体１を縦向きにも取り付けられ、固定対象物１００の状態に対応でき、使用勝手を向上させることができる。
【００２２】
上述した実施例（図１乃至図１１）においては、フック本体７を縦向きにも横向きにも対応するように、係止部６に係止された被係止部７１は、その動きを規制したが、本願考案にあっては、これに限らず、図１２乃至図１７に示すように、フック本体７を係止部６（６２）に回動自在にフリーに支持するようにしても良い（図１２乃至図１７）。
【００２３】
即ち、係止部６（６２）に係止される被係止部７１には、図１２に示すように、張り出し部６２の侵入を許容する第１の開口部７１Ａと、この第１の開口部７１Ａに連通すると共に、侵入した張り出し部６２の離脱を規制する「第１の開口部７１Ａの開口部より小さい開口部である第２の開口部７１Ｂ」を有し、そして、侵入した張り出し部６２を第２の開口部７１Ｂの縁部に当接する位置に移動させて、侵入した張り出し部６２の離脱を規制するようにしている。張り出し部６２は、例えば、正面視、円である。係止部６（６２）は、開口部７１Ａの上縁部で係止し、フック本体７の重力によりフック本体７を垂下するようにする。なお、この場合、係止部６（６２）は、四角柱でなく、円柱が良い（図１２乃至図１４）。
また、第２の開口部７１Ｂは、図１５乃至図１７に示すように不要としても良い。第２の開口部７１Ｂを不要とした場合、少なくとも、張り出し部６２又は第１の開口部７１Ａを、例えば、変形自在な合成樹脂で形成し、張り出し部６２の第１の開口部７１Ａへの侵入を許容すると共に、張り出し部６２の第１の開口部７１Ａへの侵入後は、外力を加えない限り、張り出し部６２の第１の開口部７１Ａからの離脱を防止することができる。
【００２４】
この実施例のフックＦは、前述の実施例と同様の「鴨居等の固定対象物１００に第１の挟持部材４と第２の挟持部材５により取り付けられるフック」で、本体１と、この本体１に取付けられた雄ネジ体２と、この雄ネジ体２に設けられた摘み部３と、雄ネジ体２に螺合する雌ネジ体Ｎと、本体１に取り付けられた第１の挟持部材４と、この第１の挟持部材４に対向すると共に、雄ネジ体２に取り付けられた第２の挟持部材５と、本体１に取り付けられた係止部６と、この係止部６に回動自在にフリーに支持されるフック本体７と、このフック本体７に接続され、被掛止物を掛止する掛止フック部７２とを備え、
第１の挟持部材４と第２の挟持部材５により固定対象物１００に挟持して取り付けられ、係止部６は、係止部本体６１と、この係止部本体６１に対して側方に張り出す張り出し部６２を有し、係止部６に係止される被係止部７１には、張り出し部６２の侵入を許容する開口部７１Ａを有し、係止部６に着脱自在に係止される被係止部７１は、少なくとも、固定対象物１００が水平部材Ｈの場合、フック本体７が垂下し、掛止フック部７２の先端が上方を向くように係止部６に係止される第1の状態（図１３、図１６）と、固定対象物１００が垂直部材の場合、フック本体７が垂下し、掛止フック部７２の先端が上方を向くように係止部６に係止される第２の状態（図１４、図１７）とを有する。８１、８２は、滑り止め部材である。
【００２５】
従って、上述したフックＦによれば、フック本体７は係止部６にフリーに係止されているため、固定対象物１００が水平部材Ｈの場合のみならず、固定対象物１００が垂直部材Ｖの場合も、フック本体７を取り外すことなく、 掛止フック部７２の先端を上方を向くように位置させて使用することができ、使用勝手を向上させることができる。
【符号の説明】
【００２６】
Ｆ      フック
Ｎ       雌ネジ体
Ｈ       水平部材
Ｖ       垂直部材
１       本体
２       雄ネジ体
３        摘み部
４       第１の挟持部材
５       第２の挟持部材
６       係止部
７       フック本体
７１    被係止部
７２     掛止フック部
【図１】
0003232291.tif 000003
【図２】
0003232291.tif 000004
【図３】
0003232291.tif 000005
【図４】
0003232291.tif 000006
【図５】
0003232291.tif 000007
【図６】
0003232291.tif 000008
【図７】
0003232291.tif 000009
【図８】
0003232291.tif 000010
【図９】
0003232291.tif 000011
【図１０】
0003232291.tif 000012
【図１１】
0003232291.tif 000013
【図１２】
0003232291.tif 000014
【図１３】
0003232291.tif 000015
【図１４】
0003232291.tif 000016
【図１５】
0003232291.tif 000017
【図１６】
0003232291.tif 000018
【図１７】
0003232291.tif 000019